【手続補正書】
【提出日】平成19年6月20日(2007.6.20)
【手続補正１】
【補正対象書類名】特許請求の範囲
【補正対象項目名】全文
【補正方法】変更
【補正の内容】
【特許請求の範囲】
【請求項１】
ネットワークを経由したデータのやり取りが可能であり、印刷用のデータを受け取って印刷を実行するプリンタであって、
当該プリンタが設置されている地理的な位置情報をプリンタ側で認識する位置認識手段と、
前記印刷用のデータを前記ネットワークを介して受け取ったとき、該印刷用のデータ自体に地理的な位置情報が含まれている場合には、該位置情報を用いて、受け取った印刷用のデータが当該プリンタで印刷すべきデータであるか否かを判定する判定手段と、
該判定手段が、前記位置認識手段によって認識された前記位置情報に基づいて、前記受け取った印刷用のデータが当該プリンタで印刷すべきデータであると判定した場合には、該印刷用のデータを用いて印刷を行なうプリント手段と
を備えたプリンタ。
【請求項２】
前記位置認識手段は、前記地理的な位置情報を、緯度、経度により検出する請求項１記載のプリンタ。
【請求項３】
前記位置認識手段は、前記地理的な位置情報として、前記緯度、経度に加えて高度も検出する請求項２記載のプリンタ。
【請求項４】
前記位置認識手段は、地理的な位置情報を、３個以上の人工衛星からの電波の位相差を用いたＧＰＳシステムにより検出する請求項１ないし請求項３のいずれか記載のプリンタ。
【請求項５】
請求項１記載のプリンタであって、
前記位置認識手段が認識した当該プリンタの地理的な位置情報を、前記ネットワークを介して出力する位置情報出力手段を備え、
前記印刷用データに含まれる地理的な位置情報は、該位置情報出力手段によって出力された位置情報であるプリンタ。
【請求項６】
前記位置情報出力手段は、前記地理的な位置情報を、少なくとも当該プリンタの電源投入後の時点で出力する請求項５記載のプリンタ。
【請求項７】
ネットワークを介して１台以上のプリンタとデータのやり取りが可能であり、印刷用のデータを前記ネットワークを介して出力して、前記いずれかのプリンタにより印刷を行なわせる印刷方法であって、
当該プリンタが設置されている地理的な位置情報をプリンタ側で認識し、
前記印刷用のデータを前記ネットワークを介して受け取ったとき、該印刷用のデータ自体に地理的な位置情報が含まれているか否かを判断し、
該印刷用のデータ自体に地理的な位置情報が含まれている場合には、該位置情報を用いて、受け取った印刷用のデータが当該プリンタで印刷すべきデータであるか否かを判定し、
前記受け取った印刷用のデータが当該プリンタで印刷すべきデータであると判定した場合には、該印刷用のデータを用いて印刷を行なう
印刷方法。
【手続補正２】
【補正対象書類名】明細書
【補正対象項目名】発明の名称
【補正方法】変更
【補正の内容】
【発明の名称】プリンタおよび印刷方法
【手続補正３】
【補正対象書類名】明細書
【補正対象項目名】００１４
【補正方法】変更
【補正の内容】
【００１４】
本発明のプリンタは、ネットワークを経由したデータのやり取りが可能であり、印刷用のデータを受け取って印刷を実行するプリンタであって、
当該プリンタが設置されている地理的な位置情報をプリンタ側で認識する位置認識手段と、
前記印刷用のデータを前記ネットワークを介して受け取ったとき、該印刷用のデータ自体に地理的な位置情報が含まれている場合には、該位置情報を用いて、受け取った印刷用のデータが当該プリンタで印刷すべきデータであるか否かを判定する判定手段と、
該判定手段が、前記位置認識手段によって認識された前記位置情報に基づいて、前記受け取った印刷用のデータが当該プリンタで印刷すべきデータであると判定した場合には、該印刷用のデータを用いて印刷を行なうプリント手段と
を備えたことを要旨とする。係るプリンタによれば、印刷用のデータを受け取ったとき、その印刷用のデータに地理的な位置情報が含まれている場合には、位置情報を用い、その印刷用のデータが当該プリンタで印刷すべきデータか否かを判定する。当該プリンタで印刷すべきデータであると判定した場合には、この印刷用のデータを用いて印刷を行なう。かかる構成によれば、印刷を指示する機器は、印刷用のデータに地理的な位置情報を付属させておけば、どのプリンタで印刷するかを、特定しておく必要がなく、ネットワーク上に、印刷用のデータを出力するだけで足りる。
【手続補正４】
【補正対象書類名】明細書
【補正対象項目名】００１８
【補正方法】削除
【補正の内容】
【手続補正５】
【補正対象書類名】明細書
【補正対象項目名】００２５
【補正方法】削除
【補正の内容】
【手続補正６】
【補正対象書類名】明細書
【補正対象項目名】００２６
【補正方法】削除
【補正の内容】
【手続補正７】
【補正対象書類名】明細書
【補正対象項目名】００２７
【補正方法】変更
【補正の内容】
【００２７】
かかるプリンタに対応した印刷方法の発明は、ネットワークを介して１台以上のプリンタとデータのやり取りが可能であり、印刷用のデータを前記ネットワークを介して出力して、前記いずれかのプリンタにより印刷を行なわせる印刷方法であって、
ネットワークを経由したデータのやり取りが可能であり、印刷用のデータを受け取って印刷を実行する印刷方法であって、
当該プリンタが設置されている地理的な位置情報をプリンタ側で認識し、
前記印刷用のデータを前記ネットワークを介して受け取ったとき、該印刷用のデータ自体に地理的な位置情報が含まれているか否かを判断し、
該印刷用のデータ自体に地理的な位置情報が含まれている場合には、該位置情報を用いて、受け取った印刷用のデータが当該プリンタで印刷すべきデータであるか否かを判定し、
前記受け取った印刷用のデータが当該プリンタで印刷すべきデータであると判定した場合には、該印刷用のデータを用いて印刷を行なうこと
を要旨としている。
【手続補正８】
【補正対象書類名】明細書
【補正対象項目名】００２８
【補正方法】変更
【補正の内容】
【００２８】
かかる印刷方法では、印刷用のデータを出力する際には、印刷を行なうプリンタの地理的な条件を印刷用のデータに含ませてネットワークを介して出力する。プリンタ側では、地理的な位置情報に基づいて、印刷用のデータを出力すべきプリンタを特定し、このプリンタに対してネットワークを介して出力された印刷用のデータを印刷する。従って、かかる印刷実行装置によれば、印刷しようとするプリンタの地理的な条件、例えば最も近くのプリンタといった条件を入力するだけで、近接のプリンタで印刷が行なわれることになり、ネットワークに接続された印刷実行装置やプリンタの使い勝手が格段に向上する。また、プリンタの地理的な位置情報を、プリンタ側から取得するようにすれば、管理者が全プリンタの位置情報を管理する必要がなく、管理・運用の手間を大幅に低減することができる。
【手続補正９】
【補正対象書類名】明細書
【補正対象項目名】００３７
【補正方法】削除
【補正の内容】
【手続補正１０】
【補正対象書類名】明細書
【補正対象項目名】００３８
【補正方法】削除
【補正の内容】
【手続補正１１】
【補正対象書類名】明細書
【補正対象項目名】００３９
【補正方法】削除
【補正の内容】
【手続補正１２】
【補正対象書類名】明細書
【補正対象項目名】００４０
【補正方法】削除
【補正の内容】
【手続補正１３】
【補正対象書類名】明細書
【補正対象項目名】００４１
【補正方法】削除
【補正の内容】
【手続補正１４】
【補正対象書類名】明細書
【補正対象項目名】００４２
【補正方法】削除
【補正の内容】
【手続補正１５】
【補正対象書類名】明細書
【補正対象項目名】００４３
【補正方法】削除
【補正の内容】
【手続補正１６】
【補正対象書類名】明細書
【補正対象項目名】００４４
【補正方法】削除
【補正の内容】
【手続補正１７】
【補正対象書類名】明細書
【補正対象項目名】００４５
【補正方法】削除
【補正の内容】
【手続補正１８】
【補正対象書類名】明細書
【補正対象項目名】００４６
【補正方法】削除
【補正の内容】